(57)【要約】【課題】転写フィルムやインクリボン等のフィルムを搬送する装置において、搬送中のフィルムに生じたスキューを矯正しながらフィルム搬送をガイドするフィルム搬送装置におけるガイドシャフト機構を提供する。【解決手段】フィルム４６の搬送通路を形成する一対の側壁５１Ａ、５１Ｂにガイドシャフト５０を装架して、ガイドシャフト５０の両端部にそれぞれフランジ５２Ａ、５２Ｂを設ける。そして、相対向する側壁５１Ａ、５１Ｂとフランジ５２Ａ、５２Ｂとの間に付勢部材５３Ａ、５３Ｂを配して、フランジ５２Ａ、５２Ｂは付勢部材５３Ａ、５３Ｂにてガイドシャフト５０の中央部の方向に付勢するが、搬送されるフィルムと横幅方向で接するフィルム当接部５６への進入は規制部にて規制している。これにより、搬送フィルムは両方のフランジにて正しい姿勢に維持されながら搬送される。【選択図】図２
2012254878.tif 000002
【特許請求の範囲】
【請求項１】
フィルム状媒体の搬送通路を形成する一対の側壁に装架されるガイドシャフトと、
前記ガイドシャフトの両端部にそれぞれ設けられる一対のフランジと、
一対の前記フランジの間に形成されて搬送される前記フィルム状媒体と横幅方向で接するフィルム当接部と、
相対向する前記側壁と前記フランジとの間に設けられる付勢部材と、
前記フランジが前記フィルム当接部へ進出するのを阻止する規制部と、
を備えたことを特徴とするフィルム搬送装置におけるガイドシャフト機構。
【請求項２】
前記付勢部材の付勢力は、張った状態の前記フィルム状媒体の幅方向の弾性力以下であることを特徴とする請求項１に記載のフィルム搬送装置におけるガイドシャフト機構。
【請求項３】
前記付勢部材の付勢力は、弛んだ状態の前記フィルム状媒体の幅方向の弾性力以上であることを特徴とする請求項２に記載のフィルム搬送装置におけるガイドシャフト機構。
【請求項４】
前記付勢部材は、前記ガイドシャフトに挿入されるスプリングバネであることを特徴とする請求項１乃至請求項３の何れか一つに記載のフィルム搬送装置におけるガイドシャフト機構。
【請求項５】
前記付勢部材は、一端が前記側壁に当接して他端が前記フランジに当接する板バネであることを特徴とする請求項１乃至請求項３の何れか一つに記載のフィルム搬送装置におけるガイドシャフト機構。
【請求項６】
前記フィルム当接部の表面は、滑り性を有する材質にて形成するか又は表面処理加工していることを特徴とする請求項１乃至５の何れか一つに記載のフィルム搬送装置におけるガイドシャフト機構。
【請求項７】
フィルム状媒体を保持するフィルムカセットにおいて、
カセット筐体と、
前記フィルム状媒体の一端が巻回される繰出スプールと、
前記フィルム状媒体の他端が卷回される巻取スプールと、
前記フィルム状媒体の搬送通路を形成するために、前記筐体で形成された一対の側壁に装架されるガイドシャフトと、
前記ガイドシャフトの両端部にそれぞれ設けられる一対のフランジと、
一対の前記フランジの間に形成されて搬送される前記フィルム状媒体と横幅方向で接するフィルム当接部と、
相対向する前記側壁と前記フランジとの間に設けられる付勢部材と、
前記フランジが前記フィルム当接部へ進出するのを阻止する規制部と、
を備えたことを特徴とするフィルムカセット。
【請求項８】
前記付勢部材の付勢力は、張った状態の前記フィルム状媒体の幅方向の弾性力以下であることを特徴とする請求項７に記載のフィルムカセット。
【請求項９】
前記付勢部材の付勢力は、弛んだ状態の前記フィルム状媒体の幅方向の弾性力以上であることを特徴とする請求項８に記載のフィルムカセット。
【請求項１０】
前記付勢部材は、前記ガイドシャフトに挿入されるスプリングバネであることを特徴とする請求項７乃至請求項９の何れか一つに記載のフィルムカセット。
【請求項１１】
前記付勢部材は、一端が前記側壁に当接して他端が前記フランジに当接する板バネであることを特徴とする請求項７乃至請求項９の何れか一つに記載のフィルムカセット。
【請求項１２】
フィルム状媒体を保持するフィルムカセットにおいて、
カセット筐体と、
前記フィルム状媒体の一端が巻回される繰出スプールと、
前記フィルム状媒体の他端が卷回される巻取スプールと、
前記フィルム状媒体の搬送通路を形成するために、前記筐体で形成された一対の側壁に装架されるガイドシャフトと、
前記ガイドシャフトの両端部にそれぞれ設けられる一対のフランジと、
一対の前記フランジの間に形成されて搬送される前記フィルム状媒体と横幅方向で接するフィルム当接部と、
相対向する前記側壁と前記フランジとの間に設けられる付勢部材と、
前記付勢部材と前記フランジとの間に設けられ、前記フランジを押圧して移動させるフランジ押圧部材と、
前記ガイドシャフトと前記フィルム状媒体の搬送パスとが直交する位置に前記フランジを位置づけるために、前記フランジ押圧部材の移動を規制する規制部と、を備え、
前記一対のフランジと前記フィルム当接部とは前記ガイドシャフトの軸方向に移動可能に構成されたことを特徴とするフィルムカセット。
【請求項１３】
前記付勢部材の付勢力は、張った状態の前記フィルム状媒体の幅方向の弾性力以下であることを特徴とする請求項１２に記載のフィルムカセット。
【請求項１４】
前記付勢部材の付勢力は、弛んだ状態の前記フィルム状媒体の幅方向の弾性力以上であることを特徴とする請求項１３に記載のフィルムカセット。
【請求項１５】
前記付勢部材は、前記ガイドシャフトに挿入されるスプリングバネであることを特徴とする請求項１２乃至請求項１４の何れか一つに記載のフィルムカセット。
【請求項１６】
前記付勢部材は、一端が前記側壁に当接して他端が前記フランジに当接する板バネであることを特徴とする請求項１２乃至請求項１４の何れか一つに記載のフィルムカセット。
【発明の詳細な説明】
【技術分野】
【０００１】
本発明は、カードなどの記録媒体に画像を熱転写する印刷装置において、フィルム状媒体を搬送するフィルム搬送装置のガイドシャフト機構に関する。
【背景技術】
【０００２】
この種の印刷装置は、プラスチックカードなどの媒体上に顔写真、文字情報などの画像を形成する装置として広く知られており、カードに印刷する画像をインクが塗布されたフィルムであるインクリボンにて転写フィルムに熱転写（一次転写）してから、転写フィルムの画像を記録媒体に熱転写（二次転写）する印刷装置や、転写フィルムを介さずにインクリボンをカード面に直接熱転写する印刷装置がある。
【０００３】
このような印刷装置においては、印刷のためにフィルム搬送装置にて転写フィルムやインクリボンを搬送する際、これらフィルムがその進行方向に対してスキューを生じて位置ずれしていると正しく印刷されず印刷品質の低下を招く。
【０００４】
そのため、搬送中のフィルムのスキューを矯正するものとして、例えば特許文献１に開示されている構成のガイドシャフトが知られている。このガイドシャフトは、インクリボンをカード面に熱転写する印刷装置において、印刷後に媒体からインクリボンを引き剥がす剥離ローラとしての機能を有するものであるが、外周面が摩擦部材で覆われてなるとともに、インクリボンの幅方向に移動可能となるように弾性部材により弾性付勢されている。そして、インクリボンにスキューが発生したとき、このインクリボンのスキューにあわせてガイドシャフトが弾性移動して、スキューしているインクリボンを中央部に戻して矯正するものである。
【先行技術文献】
【特許文献】
【０００５】
【特許文献１】特許第３８６２４７１号公報
【発明の概要】
【発明が解決しようとする課題】
【０００６】
一般的に、ガイドシャフトはフィルムの送り方向に常に直交した状態でなければならないが、フィルムの巻き取り移動にて同じ方向に滑らかに回転するには、ガイドシャフトを支持する機筺の孔部に対し遊びを設けて挿入されている。
【０００７】
このため、従来技術によれば、フィルムのスキューでガイドシャフトの位置がフィルムの送り方向の中心から外れて斜めの状態となると、弾性部材の付勢にて中央に復帰しても斜めの姿勢は解消されずスキューは矯正されないことになる。
【０００８】
そこで本発明は、転写フィルムやインクリボンを搬送するためのフィルム搬送装置において、フィルムの送り方向からずれてもスキューを矯正することが可能なガイドシャフトを提供することをその課題としている。
【課題を解決するための手段】
【０００９】
上記課題を達成するため本発明によるフィルム搬送装置におけるガイドシャフト機構は、フィルム状媒体の搬送通路を形成する一対の側壁に装架されるガイドシャフトと、前記ガイドシャフトの両端部にそれぞれ設けられる一対のフランジと、一対の前記フランジの間に形成されて搬送される前記フィルム状媒体と横幅方向で接するフィルム当接部と、相対向する前記側壁と前記フランジとの間に設けられる付勢部材と、前記フランジが前記フィルム当接部へ進出するのを阻止する規制部と、を備えたことを特徴とする。
【００１０】
そして、前記付勢部材の付勢力は、張った状態の前記フィルム状媒体の幅方向の弾性力以下であり、更に、弛んだ状態の前記フィルム状媒体の幅方向の弾性力以上であることを特徴とする。
【００１１】
そして、前記付勢部材は、前記ガイドシャフトに挿入されるスプリングバネ、又は一端が前記側壁に当接して他端が前記フランジに当接する板バネであることを特徴とする。
【００１２】
また、前記フィルム当接部の表面は、滑り性を有する材質にて形成するか又は表面処理加工していることを特徴とする。
【００１３】
本発明によるフィルムカセットは、フィルム状媒体を保持するフィルムカセットにおいて、カセット筐体と、前記フィルム状媒体の一端が巻回される繰出スプールと、前記フィルム状媒体の他端が卷回される巻取スプールと、前記フィルム状媒体の搬送通路を形成するために、前記筐体で形成された一対の側壁に装架されるガイドシャフトと、前記ガイドシャフトの両端部にそれぞれ設けられる一対のフランジと、一対の前記フランジの間に形成されて搬送される前記フィルム状媒体と横幅方向で接するフィルム当接部と、相対向する前記側壁と前記フランジとの間に設けられる付勢部材と、前記フランジが前記フィルム当接部へ進出するのを阻止する規制部と、を備えたことを特徴とする。
【００１４】
そして、前記付勢部材の付勢力は、張った状態の前記フィルム状媒体の幅方向の弾性力以下であり、更に、弛んだ状態の前記フィルム状媒体の幅方向の弾性力以上であることを特徴とする。
【００１５】
そして、前記付勢部材は、前記ガイドシャフトに挿入されるスプリングバネ、又は一端が前記側壁に当接して他端が前記フランジに当接する板バネであることを特徴とする。
【００１６】
本発明によるフィルムカセットは、フィルム状媒体を保持するフィルムカセットにおいて、カセット筐体と、前記フィルム状媒体の一端が巻回される繰出スプールと、前記フィルム状媒体の他端が卷回される巻取スプールと、前記フィルム状媒体の搬送通路を形成するために、前記筐体で形成された一対の側壁に装架されるガイドシャフトと、前記ガイドシャフトの両端部にそれぞれ設けられる一対のフランジと、一対の前記フランジの間に形成されて搬送される前記フィルム状媒体と横幅方向で接するフィルム当接部と、相対向する前記側壁と前記フランジとの間に設けられる付勢部材と、前記付勢部材と前記フランジとの間に設けられ、前記フランジを押圧して移動させるフランジ押圧部材と、前記ガイドシャフトと前記フィルム状媒体の搬送パスとが直交する位置に前記フランジを位置づけるために、前記フランジ押圧部材の移動を規制する規制部と、を備え、前記一対のフランジと前記フィルム当接部とは前記ガイドシャフトの軸方向に移動可能に構成されたことを特徴とする。
【００１７】
そして、前記付勢部材の付勢力は、張った状態の前記フィルム状媒体の幅方向の弾性力以下であり、更に、弛んだ状態の前記フィルム状媒体の幅方向の弾性力以上であることを特徴とする。
【００１８】
そして、前記付勢部材は、前記ガイドシャフトに挿入されるスプリングバネ、又は一端が前記側壁に当接して他端が前記フランジに当接する板バネであることを特徴とする。
【発明の効果】
【００１９】
上記のように、本発明は、フィルムの搬送通路を形成する一対の側壁に装架されるガイドシャフトと、前記ガイドシャフトの両端部にそれぞれ設けられる一対のフランジと、一対の前記フランジの間に形成されて搬送される前記フィルムと横幅方向で接するフィルム当接部と、相対向する前記側壁と前記フランジとの間に設けられる付勢部材と、前記フランジが前記フィルム当接部へ進出するのを阻止する規制部とを備えた構成としたので、付勢部材により付勢されたフランジにより直接搬送するフィルム状媒体を規制するために、ガイドシャフトはスキューを矯正しながらフィルムをガイドすることを可能にしたのである。
【図面の簡単な説明】
【００２０】
【図１】印刷装置の全体構成の説明図を示す。
【図２】本発明に係るガイドシャフト機構の一実施例を示す説明図。
【図３】本発明に係るガイドシャフト機構の他の実施例を示す説明図。
【図４】本発明に係るガイドシャフト機構の他の実施例を示す説明図。
【図５】本発明に係るガイドシャフト機構の他の実施例において、転写フィルムがスキューしている状態を示す説明図。
【発明を実施するための形態】
【００２１】
以下、好適な実施の形態に基づいて本発明を詳述する。図１は本発明に係わるフィルム搬送装置を備えた印刷装置１を示し、挿入口１から送られてくる各種証明用のＩＤカードや、商取引用のクレジットカードなどのカードに画像を印刷するものである。
【００２２】
挿入口１に連通している媒体搬送経路Ｐ１にはカードを搬送する搬送ローラ（ベルトでも良い）２９、３０が配置され、図示しない搬送モータに連結されている。
【００２３】
そして、印刷装置１は、転写フィルム４６をモータＭｒ２の駆動にて回転するフィルムカセット６０の巻取スプール４７と操出スプール４８にそれぞれ転写フィルム４６を巻回して保持している。巻取スプール４７と操出スプール４８間の転写フィルム４６は、フィルム搬送ローラ４９、ガイドシャフト５０、ガイドコロ３４ａ、剥離コロ３４ｂ等に架け渡されて搬送される。フィルムカセット６０は複数のガイドシャフト５０ａ〜５０ｅ、ガイドコロ３４ａ、剥離コロ３４ｂと後述の側壁５１Ａ・５１Ｂを含むカセット筐体で構成され、転写フィルム４６が巻回されている巻取スプール４７と操出スプール４８を保持している。そして、フィルムカセット６０は印刷装置１から着脱可能に設けられており、使用済みの転写フィルム４６を交換するときはフィルムカセット６０を印刷装置１から抜き取って転写フィルム４６を交換する。
【００２４】
インクリボン４１はカートリッジ４２に収納され、このカートリッジ４２に操出スプール４３と巻取スプール４４が収容され、モータＭｒ１の駆動にて巻取スプール４４に巻き取られて搬送される。カートリッジ４２もフィルムカセット６０と同様に印刷装置１に着脱可能に構成され、使用済みのインクリボン４１を交換可能に構成されている。
【００２５】
フィルム搬送ローラ４９の周面に配置しているピンチローラ３２ａとピンチローラ３２ｂとは、図示されていないがフィルム搬送ローラ４９に対して進出及び退避するよう移動可能に構成されており、図１に示す状態においては、フィルム搬送ローラ４９に進出して圧接することで転写フィルム４６をフィルム搬送ローラ４９に巻き付けている。これにより、転写フィルム４６はフィルム搬送ローラ４９の回転数に応じた距離の正確な搬送が行われる。
【００２６】
従って、フィルム搬送ローラ４９は、転写フィルム４６を移送する主要な駆動ローラとなる。フィルム搬送ローラ４９が駆動するときモータＭｒ２も駆動するが、巻取スプール４７が繰り出された転写フィルム４６を巻き取るためのものであって、転写フィルム４６を搬送の主体となって駆動するようには構成されていない。
【００２７】
一次転写部を構成するプラテンローラ４５とサーマルヘッド４０とは、プラテンローラ４５に対向する位置にサーマルヘッド４０が配置されている。サーマルヘッド４０は、ヘッドコントロール用ＩＣ（図示せず）により画像データに従って加熱制御されて、昇華型のインクリボン４１を用いて転写フィルム４６に画像を印刷する。
【００２８】
モータＭｒ１は、フィルム搬送ローラ４９の駆動による転写フィルム４６の搬送に連動して回転して、転写フィルム４６とインクリボン４１とが重ね合わされてプラテンローラ４５にてサーマルヘッド４０に押し付けられて一次転写が行われる。そして、転写後のインクリボン４１は剥離部材２０にて転写フィルム４６から引き剥がされて巻取スプール４４に巻き取られる。
【００２９】
サーマルヘッド４０にて画像が印刷された転写フィルム４６が、更に搬入経路Ｐ１に配置されているプラテンローラ３１とヒートローラ３３とを含む二次転写部までフィルム搬送ローラ４９にて搬送されると、ここでカードと共にヒートローラ３３及びプラテンローラ３１とで挟持されて、転写フィルム４６上の画像がカード表面に転写される。ヒートローラ３３は転写フィルム４６を介してプラテンローラ３１に圧接・離間するように昇降機構（不図示）が設けられており、ヒートローラ３３は印刷時には上昇して転写フィルム４６とカードとをプラテンローラ３１に圧接する。
【００３０】
二次転写部に配置しているガイドコロ３４ａはプラテンローラ３１に転写フィルム４６を案内するもので、剥離コロ３４ｂは転写後の転写フィルム４６をカードから剥離するものである。すなわち、剥離コロ３４ｂは、モータＭｒ２による巻取スプール４７の巻き取り動作により回転して、媒体搬送経路Ｐ２に対して略垂直方向に転写フィルム４６をカードから引き剥がす。
【００３１】
搬送ローラ３７と搬送ローラ３８の間にはデカール機構３６が配置され、搬送ローラ３７、３８間に保持されたカード中央部を押圧することにより、ヒートローラ３３による熱転写により生じたカールを矯正する。このためデカール機構３６は図示しないカムなど昇降機構にて図１に示す上下方向に位置移動可能に構成されている。そして、でカールされたカードは排出口２３より排出される。
【００３２】
上記した印刷装置１の構成の中で、搬送されるフィルムのスキューを矯正しながらガイドする本発明に係るガイドシャフト機構は、転写フィルム４６の搬送装置やインクリボン４１の搬送装置における各フィルム搬送パスの適宜の位置に配置される各ガイドシャフトに適用されるが、本例では転写フィルム４６の搬送装置のガイドシャフト５０ａに適用した場合の例で以下説明する。
【００３３】
ガイドシャフト５０ａが配置されている箇所は、印刷終了後の転写フィルム４６が剥離コロ３４ｂにてカードから剥離され、巻取スプール４７に巻き取り搬送される位置である。ガイドシャフト５０ａの表面は転写フィルム４６の滑り性を良くするために、テフロン系やシリコン系の材質でコーティングを施している。また、ガイドシャフト５０ａをステンレスで構成し、その表面を磨くことでも必要な滑り性を確保することができる。
【００３４】
このガイドシャフト５０ａは、図２で示すように、印刷装置１内にあって転写フィルム４６の搬送通路を形成する側壁５１Ａ、５１Ｂ（フィルムカセット６０の筐体）に装架されており、その両端にはフランジ５２Ａ，５２Ｂが挿入されている。そして、側壁５１Ａ及びフランジ５２Ａの間と側壁５１Ｂ及びフランジ５２Ｂ間には、それぞれ付勢部材５３Ａ，５３Ｂがそれぞれ配置している。付勢部材５３Ａ，５３Ｂは、ガイドシャフト５０ａに挿入して取り付けるスプリングバネであるが、図３に示すように一端が側壁５１Ａ，５１Ｂに当接して他端がフランジ５２Ａ，５２Ｂに当接する板バネでも良い。
【００３５】
フランジ５２Ａ，５２Ｂはそれぞれ付勢部材５３Ａ，５３Ｂに付勢されて、中央部を貫通しているガイドシャフト５０ａに沿って移動する。しかしながら、ガイドシャフト５０ａの転写フィルム４６と接するフィルム当接部５６に画定している部分の径は他の部分の径よりも大きく設定しているため、この段差５５が規制部となって、フランジ５２Ａ，５２Ｂはガイドシャフト５０がガイドする転写フィルム４６の幅よりも内側に移動しないよう規制している。
【００３６】
付勢部材５３Ａ，５３Ｂの付勢力は、転写フィルム４６が張っているときの転写フィルム４６の弾性力より弱く、転写フィルム４６が弛んでいるときの転写フィルム４６の弾性力よりは強く設定している。このような付勢力に設定することで、張っているときの転写フィルム４６の弾性力が付勢部材５３Ａ，５３Ｂの付勢力に負けてフランジ５２部分で転写フィルム４６が折れ曲がってしまうことがない。なお、本実施形態の付勢部材５３の付勢力（バネ圧）はそれぞれ５グラムに設定してあるが、転写フィルム４６の弾性力に応じて適宜設定可能である。
【００３７】
転写フィルム４６が弛むのは、ヒートローラ３３とプラテンローラ３１とが離反した瞬間である。ヒートローラ３３とプラテンローラ３１の圧接にて保持されていたのが、急に圧接が外れた瞬間は転写フィルム４６が撓み弛んだ状態となる。その後、転写フィルム４６は搬送機構に搬送されることで再び張った状態に戻るが、弛みを生じた瞬間にスキューを生じると、スキューした状態で転写フィルム４６が保持されることになる。そうすると、次回のカードへの印刷時には、転写フィルム４６のインクの塗布部分とカード表面とに位置ずれが生じる不具合が生じる。
【００３８】
このようなスキューは、特に転写フィルム４６をカードから剥離するときに、転写フィルム４６の幅方向で画像データに応じてインク濃度が異なるために均一に剥離できず、一方の端部の剥離に時間が掛かったときなどに発生する。
【００３９】
そして、一旦スキューが発生すると巻取スプール４７にあっては、回転軸と転写フィルム４６の幅方向とが正対しない状態で巻取りが行われるために、巻取りの度にその誤差が拡大され巻取りできない状態となりジャムが発生し印刷停止の事態に陥る。
【００４０】
しかしながら、このように転写フィルム４６が弛んでスキューしたとき、フィルムの長手方向の偏向側の端部が対向するどちらかのフランジ５２Ａ，５２Ｂに当たって外側に向けて移動しようとするが、当該フランジに対応している付勢部材５３Ａ，５３Ｂの付勢力により偏向移動が阻止される。従って、転写フィルム４６に弛みが生じたときは、転写フィルム４６の長手方向の端部から直接規制が加えられるためにスキューが矯正されて、転写フィルム４６は適正な姿勢で巻取スプール４７に巻き取られる。
【００４１】
そして、転写フィルム４６が張った状態で搬送されているときはスキューを生じないが、搬送中に転写フィルム４６の長手方向の端部がフランジ５２Ａ，５２Ｂに当たるときがあり、このような場合は付勢部材５３Ａ，５３Ｂは外側に後退するために、転写フィルム４６の搬送を妨害することがない。
【００４２】
また、ガイドシャフト５０を装架する側壁５１Ａ、５１Ｂには、ガイドシャフト５０の直径よりも大きめの孔部が穿設されて、ガイドシャフト５０はその両端部をこの孔部に挿通して回動自在に支持されている。従って、巻取スプール４７の重量バランスや転写フィルム４６の幅方向で皺等により両端に不均一が生じていると、ガイドシャフト５０自体が転写フィルム４６の進行方向と直角でなくなることがある。これもガイドシャフト５０のずれもスキューの原因となるが、付勢部材５３Ａ，５３Ｂにて矯正されるため巻取スプール４７にて正常な巻取りが行われる。
【００４３】
上記した如く本発明に係るフィルム搬送装置におけるガイドシャフト機構は、搬送される転写フィルム４６のスキューを矯正しながらガイドするものであるが、カードからの剥離後に限るものではなく、転写フィルム４６の搬送パスに配置される何れのガイドシャフトにも適用される。また、インクリボン４１の搬送パスに配置されるガイドシャフトに適用しても良い。なお、本実施形態ではガイドシャフト５０ａがフィルムカセット６０に設けられている例を示したが、フィルムカセット６０ではなく、転写フィルム４６の搬送パスを形成するために印刷装置１本体に設けられたシャフトに適用しても良い。
【００４４】
なお、ガイドシャフト５０ａは図４に示す構成でもよい。この形態では、ガイドシャフト５０ａの周りにフランジ５２Ａ，５２Ｂとフィルム当接部材５６とが一体となってガイドシャフト５０ａの軸方向に移動可能に設けられている。ガイドシャフト５０ａは両端の径が小さく、中央部の径が大きくなるように構成されており、段差５５（規制部）が形成されている。
【００４５】
ガイドシャフト５０ａの両端側（径が小さい部分）には付勢部材５３Ａ，５３Ｂと、この付勢部材５３Ａ，５３Ｂでフランジ５２Ａ，５２Ｂを押圧して付勢するフランジ押圧部材５４Ａ，５４Ｂが設けられており、フランジ５２Ａ，５２Ｂを押すことでガイドシャフト５０ａの軸方向に移動させる。なお、規制部５５によって、フランジ押圧部材５４Ａ，５４Ｂの移動が規制される。これにより、ガイドシャフト５０ａと転写フィルム４６とが直交する位置にフランジ５２Ａ，５２Ｂ及びフィルム当接部材５６を位置づけることができる（図４の状態）。
【００４６】
また、フランジ５２Ａ，５２Ｂ及びフィルム当接部材５６はガイドシャフト５０ａの周面で回転可能に設けられており、フランジ５２Ａとフランジ押圧部材５４Ａ及びフランジ５２Ｂとフランジ押圧部材５４Ｂとの間はそれぞれ摺動可能である。この場合、フィルム当接部材５６の周面の滑り性を良くする必要はない。
【００４７】
付勢部材５３Ａ，５３Ｂの付勢力は、転写フィルム４６が張っているときの転写フィルム４６の弾性力より弱く、転写フィルム４６が弛んでいるときの転写フィルム４６の弾性力よりは強く設定している。よって、転写フィルム４６が張っているときは図５のようにフランジ５２Ａ，５２Ｂ及びフィルム当接部材５６が移動するが、転写フィルム４６が弛んだ瞬間に図４に示す位置（ガイドシャフト５０ａと転写フィルム４６とが直交する位置）に付勢部材の力で戻り、転写フィルム４６のスキューが修正される。付勢部材５３Ａ，５３Ｂの付勢力については図２に示した実施形態と同様である。
【００４８】
なお、本例では付勢部材５３Ａ，５３Ｂがスプリングである例を示したが、図３に示すように板バネ形状にすることによって、付勢部材とフランジ押圧部材とを一体で形成することも可能である。
【産業上の利用可能性】
【００４９】
本発明は、カードなどの記録媒体に画像を熱転写する印刷装置におけるフィルム搬送装置のガイドシャフト機構に関するものであり、産業上の利用可能性を有する。
【符号の説明】
【００５０】
５０    ガイドシャフト
５１Ａ、５１Ｂ    側壁
５２Ａ、５２Ｂ    フランジ
５３Ａ、５３Ｂ    付勢部材
５４Ａ、５４Ｂ    フランジ押圧部材
５５    規制部
５６    フィルム当接部
【図１】
2012254878.tif 000003
【図２】
2012254878.tif 000004
【図３】
2012254878.tif 000005
【図４】
2012254878.tif 000006
【図５】
2012254878.tif 000007